(57)【特許請求の範囲】
【請求項１】
縦長の支持基板と、前記支持基板の上下方向に沿って上下動自在に軸支された棒状の施錠ロッドと、前記施錠ロッドにその支承部が遊嵌されて摺動自在に装着されると共にフック部が前方又は後方へ突出する第１の鉤部材と、前記施錠ロッドにその支承部が遊嵌されて摺動自在に装着されると共にフック部が前記第１の鉤部材と反対方向へ突出する第２の鉤部材と、前記第１の鉤部材の支承部と前記第２の鉤部材の支承部の間に位置するように前記施錠ロッドに固着した押圧部材と、前記施錠ロッドに装着されて前記第１の鉤部材を上向き若しくは下向きに付勢すると共に前記第２の鉤部材を該第１の鉤部材と反対方向に付勢する圧縮バネと、前記施錠ロッドに固着されると共にシリンダ錠の錠軸に固定された係合片と係合する受止部材とを備え、
前記シリンダ錠を開錠操作すると前記受止部材が前記施錠ロッドを上下動させ、該シリンダ錠の開錠操作の方向によって前記押圧部材が前記第１の鉤部材又は前記第２の鉤部材を上下いずれかに移動させることを特徴とするパチンコ遊技機の施錠装置。
【請求項２】
前記第１の鉤部材の支承部は少なくとも上下に２箇所に形成されており、前記第２の鉤部材は前記第１の鉤部材の上下の支承部間に配置されており、前記押圧部材は前記第１の鉤部材の一方の支承部と前記第２の鉤部材の支承部との間に固着されており、前記圧縮バネは前記第１の鉤部材の他方の支承部と前記第２の鉤部材の支承部との間に装着されており、さらに、前記第１の鉤部材又は前記第２の鉤部材のいずれか一方の移動時に他方の鉤部材の移動を規制するストッパ手段を備えていることを特徴とする請求項１記載のパチンコ遊技機の施錠装置。
【請求項３】
前記第１の鉤部材及び第２の鉤部材の支承部はそれぞれ上下に２箇所に形成されていると共にそれぞれの支承部が互い違いになるように配置されており、前記押圧部材は上端又は下端に位置する支承部と該支承部と隣接する支承部との間に固着されており、前記圧縮バネは内側に位置する支承部間に装着されており、さらに、前記第１の鉤部材又は前記第２の鉤部材のいずれか一方の移動時に他方の鉤部材の移動を規制するストッパ手段を備えていることを特徴とする請求項１記載のパチンコ遊技機の施錠装置。
【請求項４】
縦長の支持基板と、前記支持基板の上下方向に沿って上下動自在に軸支された棒状の施錠ロッドと、前記施錠ロッドにその支承部が遊嵌されて摺動自在に装着されると共にフック部が前方へ突出する第１の鉤部材と、前記施錠ロッドにその支承部が遊嵌されて摺動自在に装着されると共にフック部が後方へ突出する第２の鉤部材と、前記第１の鉤部材の支承部と前記第２の鉤部材の支承部の間に位置するように前記施錠ロッドに固着した押圧部材と、前記施錠ロッドに装着されて前記第１の鉤部材を上向き若しくは下向きに付勢する第１の圧縮バネと、前記第１の鉤部材と所定間隔を離して前記施錠ロッドに固着され前記第１の圧縮バネの端部を接触させる第１のバネ止め部と、前記施錠ロッドに装着されて前記第２の鉤部材を前記第１の圧縮バネとは反対方向に付勢する第２の圧縮バネと、前記第２の鉤部材と所定間隔を離して前記施錠ロッドに固着され前記第２の圧縮バネの端部を接触させる第２のバネ止め部と、前記施錠ロッドに固着されると共にシリンダ錠の錠軸に固定された係合片と係合する受止部材とを備え、
前記シリンダ錠を開錠操作すると前記受止部材が前記施錠ロッドを上下動させ、該シリンダ錠の開錠操作の方向によって前記押圧部材が前記第１の鉤部材又は前記第２の鉤部材を上下いずれかに移動させることを特徴とするパチンコ遊技機の施錠装置。
【発明の詳細な説明】
【技術分野】
【０００１】
本発明はパチンコ遊技機に装着される施錠装置に関するものである。
【背景技術】
【０００２】
パチンコ遊技機には、本体枠や前面枠を施錠・開錠するための施錠装置が設けられており、この施錠装置の最も一般的なものとして、特許文献１又は２に示されたようなものが広く使用されている。すなわち、特許文献１に示されている施錠装置は、基枠体１の側面に、鉤部２１，２２が形成された中枠施錠杆２と鉤部３１，３２，３３が形成されたガラス枠施錠杆３とを摺動自在に設けている。そして、パチンコ遊技機の前面から鍵を操作することで中枠施錠杆２、ガラス枠施錠杆３のそれぞれが上下動するようにし、この上下動によって、施錠された中枠（本体枠）、若しくはガラス枠（前面枠）を開錠し得るようにしている。一方、特許文献２に示されている施錠装置は、基枠１の側面に摺動杆６を摺動自在に設けると共に、基枠１と摺動杆６の上下位置に鉤部材４，５を傾動自在に枢支している。そして、パチンコ遊技機の前面から鍵を操作することで摺動杆６が上下動すると共に、この上下動によって鉤部材４，５のそれぞれが傾動するようにし、前面枠が開錠されるようにしている。
【先行技術文献】
【特許文献】
【０００３】
【特許文献１】特開２０１２−５０７０８号公報
【特許文献２】特開２００３−２６０２４４号公報
【発明の概要】
【発明が解決しようとする課題】
【０００４】
しかしながら、特許文献１及び２に示された施錠装置には、次に述べるような問題点がある。すなわち、パチンコ遊技機の設計は、当然のことながら、遊技機メーカー毎によって異なっており、装着される部品、及びその配置等もメーカー毎にまちまちである。この点、パチンコ遊技機に装着される施錠装置も同様で、特に、施錠装置の鉤部の位置は、遊技機メーカー毎の設計にあわせて決定する必要がある。また、同じ遊技機メーカーのパチンコ遊技機であっても、機種が異なると施錠装置の鉤部の位置が異なる場合もあった。この点、特許文献１に示されたものの場合、鉤部が中枠施錠杆、及びガラス枠施錠杆のそれぞれに一体成形されていることから、遊技機メーカー毎に異なる中枠施錠杆及びガラス扉施錠杆を設計及び製造することが必要になる。また、特許文献２に示されたものも、鉤部材を装着する箇所等を予め決めておく必要があることから、同様にこれらを見据えて設計及び製造する必要がある。そのため、結果として、施錠装置の設計に余分な労力が掛かると共に、製造コストが嵩むという問題があった。
【０００５】
そこで、本発明は、施錠装置の鉤部材の位置が遊技機によって異なったとしても、それに対応することが可能な汎用性があり、且つコストダウン可能なパチンコ遊技機の施錠装置を提供することを目的としている。
【課題を解決するための手段】
【０００６】
上記のような課題を解決するために本発明に係るパチンコ遊技機の施錠装置は、縦長の支持基板と、前記支持基板の上下方向に沿って上下動自在に軸支された棒状の施錠ロッドと、前記施錠ロッドにその支承部が遊嵌されて摺動自在に装着されると共にフック部が前方又は後方へ突出する第１の鉤部材と、前記施錠ロッドにその支承部が遊嵌されて摺動自在に装着されると共にフック部が前記第１の鉤部材と反対方向へ突出する第２の鉤部材と、前記第１の鉤部材の支承部と前記第２の鉤部材の支承部の間に位置するように前記施錠ロッドに固着した押圧部材と、前記施錠ロッドに装着されて前記第１の鉤部材を上向き若しくは下向きに付勢すると共に前記第２の鉤部材を該第１の鉤部材と反対方向に付勢する圧縮バネと、前記施錠ロッドに固着されると共にシリンダ錠の錠軸に固定された係合片と係合する受止部材とを備え、前記シリンダ錠を開錠操作すると前記受止部材が前記施錠ロッドを上下動させ、該シリンダ錠の開錠操作の方向によって前記押圧部材が前記第１の鉤部材又は前記第２の鉤部材を上下いずれかに移動させることを特徴としている。
【０００７】
また、請求項２に係るパチンコ遊技機の施錠装置は、前記第１の鉤部材の支承部は少なくとも上下に２箇所に形成されており、前記第２の鉤部材は前記第１の鉤部材の上下の支承部間に配置されており、前記押圧部材は前記第１の鉤部材の一方の支承部と前記第２の鉤部材の支承部との間に固着されており、前記圧縮バネは前記第１の鉤部材の他方の支承部と前記第２の鉤部材の支承部との間に装着されており、さらに、前記第１の鉤部材又は前記第２の鉤部材のいずれか一方の移動時に他方の鉤部材の移動を規制するストッパ手段を備えていることを特徴としている。
【０００８】
さらに、請求項３に係るパチンコ遊技機の施錠装置は、前記第１の鉤部材及び第２の鉤部材の支承部はそれぞれ上下に２箇所に形成されていると共にそれぞれの支承部が互い違いになるように配置されており、前記押圧部材は上端又は下端に位置する支承部と該支承部と隣接する支承部との間に固着されており、前記圧縮バネは内側に位置する支承部間に装着されており、さらに、前記第１の鉤部材又は前記第２の鉤部材のいずれか一方の移動時に他方の鉤部材の移動を規制するストッパ手段を備えていることを特徴としている。
【０００９】
また、請求項４に係るパチンコ遊技機の施錠装置は、縦長の支持基板と、前記支持基板の上下方向に沿って上下動自在に軸支された棒状の施錠ロッドと、前記施錠ロッドにその支承部が遊嵌されて摺動自在に装着されると共にフック部が前方へ突出する第１の鉤部材と、前記施錠ロッドにその支承部が遊嵌されて摺動自在に装着されると共にフック部が後方へ突出する第２の鉤部材と、前記第１の鉤部材の支承部と前記第２の鉤部材の支承部の間に位置するように前記施錠ロッドに固着した押圧部材と、前記施錠ロッドに装着されて前記第１の鉤部材を上向き若しくは下向きに付勢する第１の圧縮バネと、前記第１の鉤部材と所定間隔を離して前記施錠ロッドに固着され前記第１の圧縮バネの端部を接触させる第１のバネ止め部と、前記施錠ロッドに装着されて前記第２の鉤部材を前記第１の圧縮バネとは反対方向に付勢する第２の圧縮バネと、前記第２の鉤部材と所定間隔を離して前記施錠ロッドに固着され前記第２の圧縮バネの端部を接触させる第２のバネ止め部と、前記施錠ロッドに固着されると共にシリンダ錠の錠軸に固定された係合片と係合する受止部材とを備え、前記シリンダ錠を開錠操作すると前記受止部材が前記施錠ロッドを上下動させ、該シリンダ錠の開錠操作の方向によって前記押圧部材が前記第１の鉤部材又は前記第２の鉤部材を上下いずれかに移動させることを特徴としている。
【発明の効果】
【００１０】
本発明に係るパチンコ遊技機の施錠装置は、鉤部材の位置を自由に変更することができるため、パチンコ遊技機毎に施錠装置を新たに設計する面倒を解消すると共に、コストの削減を図ることを可能としている。
【００１１】
また、鉤部材を上下動させる部材を棒状の部材からなる施錠ロッドにすることで、従来の施錠装置のように金属製の帯板部材を使用する必要がなくなり、材料費のコストを大幅に削減することができる。
【００１２】
さらに、施錠ロッドを採用したことで、施錠装置の組み立てもきわめて簡単になり、組立作業の能率を向上させることも可能としている。
【００１３】
また、施錠ロッドに圧縮バネを装着して鉤部材を付勢するようにしたことから、従来の引張バネを使用したものと比較して、バネの配置の自由度が増し、ひいては、施錠装置自体の設計についての自由度も増すことができる。
【図面の簡単な説明】
【００１４】
【図１】パチンコ遊技機Ｐの正面斜視図。
【図２】本体枠の背面斜視図。
【図３】施錠装置の背面斜視図。
【図４】施錠装置の分解斜視図。
【図５】本体枠用鉤部材の斜視図。
【図６】前面枠用鉤部材の斜視図。
【図７】施錠装置の作用図。
【図８】施錠装置の作用図。
【図９】施錠装置の他の実施形態を示す要部側面図。
【図１０】施錠装置の他の実施形態を示す要部側面図。
【図１１】施錠装置の他の実施形態を示す要部側面図。
【図１２】施錠装置の他の実施形態を示す要部側面図。
【発明を実施するための形態】
【００１５】
以下、本発明の実施の形態について、図面を参照しながら説明する。図１は、施錠装置Ｓが装着されたパチンコ遊技機Ｐの正面斜視図、図２は施錠装置Ｓが装着されたパチンコ遊技機Ｐの本体枠の背面斜視図、図３は施錠装置Ｓの背面斜視図、図４は施錠装置Ｓの分解斜視図である。ここで、本発明に係る施錠装置Ｓを説明するに先立ち、パチンコ遊技機Ｐについて簡単に説明をしておく。パチンコ遊技機Ｐは、縦長な方形状に枠組み形成される外枠１と、該外枠１の一側にヒンジ機構２，２によって開閉自在に装着される本体枠３と、該本体枠３の前面一側にヒンジ機構４，４によって開閉自在に装着される前面枠５とによって概略構成されている。また、該パチンコ遊技機Ｐには、外枠１に対し本体枠３を開放及び施錠し、本体枠３に対し前面枠５を開放及び施錠する施錠装置Ｓが設けられている。なお、この実施形態において「前側」とは、パチンコ遊技機Ｐの正面側、「後側」とは、パチンコ遊技機Ｐの背面側、「右側」「左側」とは、パチンコ遊技機Ｐを正面から見た場合の右側、左側をそれぞれ指すこととする。
【００１６】
前記外枠１は、上下に配置される上枠板１０及び下枠板１１、左右に配置される側枠板１２，１２を組み合わせることで縦長な方形枠状に形成されている。また、下枠板１１の前方には、合成樹脂製の装飾カバー１３が装着されている。なお、外枠１の開放側内側面の上部と下部に、後述する施錠装置Ｓの本体枠用鉤部材３２のフック部５１が係止される係止部１４，１４が固着されている。
【００１７】
前記本体枠３は、上下に配置される上囲繞部材１５及び下囲繞部材１６、左右に配置される側部囲繞部材１７，１７を組み合わせることで縦長な方形枠状に形成されており、そのサイズは、外枠１の装飾カバー１３を除く前面を略覆うサイズになっている。また、本体枠３の下囲繞部材１６の上側に遊技球を流下させる遊技盤１８が配設されている。そして、遊技盤１８の前面には、図示はしないが入賞装置、遊技釘、球誘導レール等が配設され、遊技盤１８の後側には、球タンク、通路部材、球払出装置、各種制御基板等が配設されることになる。また、下囲繞部材１６には、図示はしないが打球発射装置等が配設されることになる。さらに、下囲繞部材１６の右側（開放側）よりの位置には、施錠装置Ｓを操作するためのシリンダ錠１９が前方に突出するように設けられている。なお、図２に示すように、本体枠３の開放側の側面に施錠装置Ｓが装着されている。
【００１８】
前記前面枠５は、上下に配置される上枠部材２０及び下枠部材２１、左右に配置される側枠部材２２，２２を組み合わせることで縦長な方形枠状に形成されており、そのサイズは、本体枠３の前面を略覆うサイズになっている。このうち、下枠部材２１は、本体枠３の下囲繞部材１６の前面全体を覆う板状に形成されている。また、この下枠部材２１の右側には、本体枠３に設けられたシリンダ錠１９を突出させるための貫通穴２３が開設されている。また、前面枠５の下枠部材２６を除く部分は開放部になっており、図示はしないが該開放部を後方から塞ぐようにして一対の透明板ユニットが装着されることになる。さらに、前面枠５の下枠部材２１の前面には、図示はしないが球受皿、操作ハンドル等が装着されることになり、また、前面枠５の周囲前面には、装飾用の合成製樹脂カバーが装着されることになる。なお、前面枠５の開放側内側面の上部と下部に、後述する施錠装置Ｓの前面枠用鉤部材３３のフック部５６が係止される係止部２４，２４が固着されている。
【００１９】
次に、パチンコ遊技機Ｐに装着される施錠装置Ｓについて説明する。この施錠装置Ｓは、図２に示されているように本体枠３の開放側の側面に装着される。また、この施錠装置Ｓは、図３及び図４に示されているように、縦長帯板を折曲した基枠体３０に棒状の施錠ロッド３１を軸支し、該施錠ロッド３１に本体枠用鉤部材（第１の鉤部材）３２，３２と、前面枠用鉤部材（第２の鉤部材）３３，３３と、押圧部材としてのＥリング３４，３４と、圧縮バネ３５，３５、施錠ロッド３１を上下動させる受止部材３６とを装着して概略構成されている。
【００２０】
前記基枠体３０は、縦長な金属製の帯板の２箇所を直角に折曲して形成されている。具体的には、基枠体３０は、施錠装置Ｓがパチンコ遊技機Ｐに装着されると、パチンコ遊技機Ｐの遊技盤１８の側方に位置するやや幅広の支持基板３０ａと、該支持基板３０ａの後側端を直角に折曲した細幅の取付板３０ｂと、該支持基板３０ａの前側端を直角に折曲した細幅の閉塞板３０ｃとによって一体成形されている。このうち、取付板３０ｂは、パチンコ遊技機Ｐの遊技盤１８の後方に当接させる部位であり、取付板３０ｂの上側と下側のそれぞれに開設された螺子孔３８，３８・・・に螺子を螺着することで施錠装置Ｓがパチンコ遊技機Ｐに装着される。他方、閉塞板３０ｃは、パチンコ遊技機Ｐの施錠時に本体枠３の開放側の側部にできる間隙を塞ぐ働きをするもので、この閉塞板３０ｃによって針金等の異物を挿入して行われる不正を防止することができる。
【００２１】
前記支持基板３０ａには、該支持基板３０ａの上下方向に沿うように棒状の施錠ロッド３１が上下動自在に軸支されている。具体的には、支持基板３０ａの上側に２箇所、下側に１箇所の計３箇所に支持基板３０ａを切り起して形成した軸受部４１ａ，４１ｂ，４１ｃが形成されていると共に、支持基板３０ａの略中央部に軸受部４２ａ，４２ｂが形成された軸受部材４２が固設されており、該軸受部４１ａ，４１ｂ，４１ｃ及び軸受部材４２の軸受部４２ａ，４２ｂに施錠ロッド３１が挿入されている。この施錠ロッド３１の外径は、軸受部４１ａ，４１ｂ，４１ｃ及び４２ａ，４２ｂの軸孔の内径よりも若干小さいため、施錠ロッド３１は、これら軸受部に対し摺動自在になっている。ちなみに、軸受部４１ｂ，４１ｃは、本体枠用鉤部材３２が下動する際に前面枠用鉤部材３３が一緒に下動してしまうことを規制するストッパ手段としての役目を有している。これについての詳細は別途後述する。また、支持基板３０ａの上側に位置する軸受部４１ａ，４１ｂの略中間の側方と、下側に位置する軸受部４１ｃのやや上側の側方に後述する本体枠用鉤部材３２の移動をガイドする案内片部４３，４３が直角に切り起されて形成されている。さらに、支持基板３０ａの下方であり、軸受部４１ｃよりもやや上側に閉塞板３０ｃと面一になるように矩形状に切り起された錠取付部４４が形成されており、この錠取付部４４にシリンダ錠１９が螺子４５によって螺着されている。また、シリンダ錠１９の後端部から突出する錠軸４６には、上動用爪４７ａと下動用爪４７ｂが二股状に形成された係合片４７が固設されている。
【００２２】
前記施錠ロッド３１の上部と下部の２箇所に、本体枠用鉤部材３２，３２が後方へ突出するように装着されていると共に、前面枠用鉤部材３３，３３が前方へ突出するように装着されている。このうち、本体枠用鉤部材３２は、図５に示されているように、その基端部側の上下２箇所に施錠ロッド３１に挿入される支承部５０ａ，５０ｂが形成されており、その先端部側に上向き鉤状のフック部５１が形成されている。また、本体枠用鉤部材３２の中央部にはリベット５２の軸を遊嵌させる長孔５３が開設されており、該長孔５３の上方には支持基板３０ａの案内片部４３を挿入させるためのガイド溝５４が形成されている。なお、本体枠用鉤部材３２の長孔５３にはリベット５２の軸が貫挿されており、このリベット５２の軸が支持基板３０ａに固着されている。従って、本体枠用鉤部材３２は、長孔５３の範囲内で上下に移動可能になる。ちなみに、このリベット５２は、前面枠用鉤部材３３が上動する際に本体枠用鉤部材３２が一緒に上動してしまうことを規制するストッパ手段としての役目を有している。これについての詳細は別途後述する。他方、前面枠用鉤部材３３は、図６に示されているように、その基端部側の上下２箇所に施錠ロッド３１に挿入される支承部５５ａ，５５ｂが形成されており、その先端部側に下向き鉤状のフック部５６が形成されている。なお、前面枠用鉤部材３３，３３のフック部５６，５６は、閉塞板３０ｃに開設されたガイド孔５８，５８から前方へ突出している。さらに、施錠ロッド３１の下方であり、前述したシリンダ錠１９の錠軸４６に固設された係合片４７に対応する位置に受止部材３６が固着されている。この受止部材３６は、その基端部側に施錠ロッド３１に嵌合させる筒状部６０が形成されており、その先端部に係合片４７と係合する係合部６１ａ，６１ｂが形成されている。なお、本体枠用鉤部材３２の支承部５０ａ，５０ｂ及び前面枠用鉤部材３３の支承部５５ａ，５５ｂは、いずれもその内径が施錠ロッド３１の外径よりも若干大きいため、鉤部材３２及び３３は、施錠ロッド３１に対して摺動自在になっている。
【００２３】
さらに、本体枠用鉤部材３２，３２と前面枠用鉤部材３３，３３の配置関係について、図７及び図８を参照しながら説明する。まず、施錠ロッド３１の上側に配置された本体枠用鉤部材３２と前面枠用鉤部材３３から説明すると、これら鉤部材３２，３３は、それらの支承部５０ａ，５０ｂ，５５ａ，５５ｂが支持基板３０ａに形成されている軸受部４１ａと４１ｂの間に位置するように施錠ロッド３１に配置されており、また、前面枠用鉤部材３３の支承部５５ａ，５５ｂの間に本体枠用鉤部材３２の支承部５０ａ，５０ｂが位置するように配置されている。さらに、前面枠用鉤部材３３の上側の支承部５５ａと本体枠用鉤部材３２の上側の支承部５０ａの間に位置するように押圧部材としてのＥリング３４が設けられ、このＥリング３４は、施錠ロッド３１に固着されている。また、本体枠用鉤部材３２の下側の支承部５０ｂと前面枠用鉤部材３３の下側の支承部５５ｂの間にコイル状の圧縮バネ３５が配置されている。なお、施錠ロッド３１の下側に位置する本体枠用鉤部材３２と前面枠用鉤部材３３も基本的に同様の配置関係にあり、相違する点は、施錠ロッド３１の下側に位置する本体枠用鉤部材３２と前面枠用鉤部材３３の上部には、支持基板３０ａに形成されている軸受部４１ａに相当するものが存在していない点のみである。このように、本実施の形態における施錠装置Ｓは、施錠ロッド３１に本体枠用鉤部材３２と前面枠用鉤部材３３の支承部５０ａ，５０ｂ，５５ａ，５５ｂが前述したような配置関係になるよう挿入し、且つ前述したような配置関係でＥリング３４を固着すると共に圧縮バネ３５を装着すれば足り、あとはストッパ手段となる軸受部の位置を決定するのみでよい。従って、これら鉤部材の位置を後から自由に変更することが可能であると共に、施錠装置の組み立てもきわめて容易に行うことが可能となる。
【００２４】
次に本実施形態における施錠装置Ｓの作用について図７及び図８を参照しながら説明する。まず、前面枠５の施錠・開錠から説明すると、前面枠５が施錠されている状態では、図８に示されているように、前面枠用鉤部材３３のフック部５６が前面枠５の係止部２４に上側から係合している。そして、前面枠５と本体枠３の施錠を解き、前面枠５を本体枠３から開放する場合、図７に示されているように、パチンコ遊技機Ｐの前面に位置するシリンダ錠１９の鍵穴に錠を差し込んで反時計回り方向へと錠を回転させる。これによって、シリンダ錠１９の錠軸４６と共に係合片４７が回転し、係合片４７の上動用爪４７ｂがこれと係合している受止部材３６の係合部６１ｂを押し上げ、同時に施錠ロッド３１も上動する。さらに、施錠ロッド３１の上動に伴い、施錠ロッド３１に固着されているＥリング３４が前面枠用鉤部材３３の上側の支承部５５ａを押し上げるため、前面枠用鉤部材３３も上方へ移動し、前面枠用鉤部材３３のフック部５６が前面枠５の係止部２４から外れ、前面枠５が本体枠３から開放される。この一連の動作の間、本体枠用鉤部材３２は、リベット５２が長孔５３の下方に位置しているため、このリベット５２により上方への移動が規制されている。すなわち、前面枠用鉤部材３３の上方への移動により、前面枠用鉤部材３３の下側の支承部５５ｂが圧縮バネ３５を下から押し上げ、圧縮バネ３５によって本体枠用鉤部材３２の下側の支承部５０ｂが押圧されるが、本体枠用鉤部材３２はリベット５２によって上方への移動が規制されるため、その場に留まって移動しない。すなわち、リベット５２が本体枠用鉤部材３２の上方への移動を規制するストッパ手段となって、前面枠用鉤部材３３のみが上方へ移動する。
【００２５】
前面枠５が本体枠３から一旦開放されると、圧縮バネ３５の付勢力によって前面枠用鉤部材３３の下側の支承部５５ｂが下側へ押圧されるため、前面枠用鉤部材３３も下側へ移動し元の位置に戻る。そして、この状態で前面枠５を本体枠３に対し閉止する時は、前面枠５を本体枠３にそのまま押し込むことで閉止することができる。すなわち、前面枠５を本体枠３に向けて押すと、前面枠用鉤部材３３のフック部５６が前面枠５の係止部２４の前縁に当接する。この時、前面枠用鉤部材３３のフック部５６の先端縁下方がテーパー状になっていることから、当該フック部５６が係止部２４を摺動しながら圧縮バネ３５の付勢に抗しつつ徐々に押し上げられる。そして、フック部５６が係止部２４を乗り越えると、前面枠用鉤部材３３は圧縮バネ３５の付勢力により下方へ移動するため、そのフック部５６が係止部２４に再び係止されることになる。
【００２６】
次いで、本体枠３の施錠・開錠について説明すると、本体枠３が施錠されている状態では、図７に示されているように、本体枠用鉤部材３２のフック部５１が外枠１の係止部１４に下側から係合している。そして、本体枠３と外枠１の施錠を解き、本体枠３を外枠１から開放する場合、図８に示されているように、パチンコ遊技機Ｐの前面に位置するシリンダ錠１９の鍵穴に錠を差し込んで時計回り方向へと錠を回転させる。これによって、シリンダ錠１９の錠軸４６と共に係合片４７が回転し、係合片４７の下動用爪４７ａがこれと係合している受止部材３６の係合部６１ａを押し下げ、同時に施錠ロッド３１も下動する。さらに、施錠ロッド３１の下動に伴い、施錠ロッド３１に固着されているＥリング３４が本体枠用鉤部材３２の上側の支承部５０ａを押し下げるため、本体枠用鉤部材３２も下方へ移動し、本体枠用鉤部材３２のフック部５１が外枠１の係止部１４から外れ、本体枠３が外枠１から開放される。この一連の動作の間、前面枠用鉤部材３３は、その下側の支承部５５ｂが支持基板３０ａに形成された軸受部４１ｂ又は４１ｃに当接し下方への移動が規制されている。すなわち、本体枠用鉤部材３２の下方への移動により、本体枠用鉤部材３２の下側の支承部５０ｂが圧縮バネ３５を上から押し下げ、圧縮バネ３５によって前面枠用鉤部材３３の下側の支承部５５ｂが押圧されるが、前面枠用鉤部材３３は軸受部４１ｂ又は４１ｃによって下方への移動が規制されるため、その場に留まって移動しない。すなわち、軸受部４１ｂ，４１ｃが前面枠用鉤部材３３の下方への移動を規制するストッパ手段となって、本体枠用鉤部材３２のみが下方へと移動する。
【００２７】
本体枠３が外枠１から一旦開放されると、圧縮バネ３５の付勢力によって本体枠用鉤部材３２の下側の支承部５０ｂが上側へ押圧されるため、本体枠用鉤部材３２も上側へ移動し元の位置に戻る。そして、この状態で本体枠３を外枠１に対し閉止する時は、本体枠３を外枠１にそのまま押し込むことで閉止することができる。すなわち、本体枠３を外枠１に向けて押すと、本体枠用鉤部材３２のフック部５１が外枠１の係止部１４の前縁に当接する。この時、本体枠用鉤部材３２のフック部５１の先端縁上方がテーパー状になっていることから、当該フック部５１が係止部１４を摺動しながら圧縮バネ３５の付勢に抗しつつ徐々に押し下げられる。そして、フック部５１が係止部１４を乗り越えると、本体枠用鉤部材３２は圧縮バネ３５の付勢力により上方へ移動するため、そのフック部５６が係止部２４に再び係止されることになる。
【００２８】
なお、前記実施の形態では、本体枠用鉤部材３２の支承部５０ａ，５０ｂを上下に２つ設けた例を示したが、これに限られず、例えば、図９に示されているように、本体枠用鉤部材３２の支承部５０ａ´を筒状にして１つのみ形成してもよい。すなわち、本体枠用鉤部材３２の支承部が前面枠用鉤部材３３に少なくとも２つ以上設けられた支承部間に位置するように配置すれば本発明の目的を達成することができる。また、本実施形態の本体枠用鉤部材と前面枠用鉤部材を逆にすることも可能である。すなわち、本実施形態では、前面枠用鉤部材の２つの支承部間に本体枠用鉤部材の支承部が位置するように配置した例を示したが、これを逆にして、本体枠用鉤部材の２つの支承部間に前面枠用鉤部材の支承部が位置するように配置しても本発明の目的を達成することができる。
【００２９】
さらに、前記実施の形態では、本体枠用鉤部材３２が下方に移動する際、前面枠用鉤部材３３の下方への移動を規制するストッパ手段として、支持基板３０ａに形成された軸受部４１ｂ又は４１ｃを利用した例を示したが、これに限られず、例えば、図１０に示されているように、前面枠用鉤部材３３にリベット７０を設け、これをストッパ手段とすることも可能である。要するに、一方の鉤部材が上方若しくは下方に移動する際、他方の鉤部材が一方の鉤部材と同じ方向に移動してしまうことを規制する手段が設けられていれば、本発明の目的を達成することができる。
【００３０】
また、前記実施の形態では、鉤部材が支持基板の上下に設けられている例を示したが、例えば、その中間にも鉤部材を設けるなど、その数は任意に選択可能である。
【００３１】
図１１は、請求項３に係る他の実施形態を示すものである。なお、前記した実施の形態と同じ構成要素には同一符号を付して説明する。この実施の形態の施錠装置Ｓは、前面枠用鉤部材３３の基端部に２つの支承部７５ａ，７５ｂを設けると共に、本体枠用鉤部材３２の基端部にも２つの支承部を７６ａ，７６ｂを設けて構成している。また、これらの支承部７５ａ，７５ｂ，７６ａ，７６ｂが互い違いになるように前面枠用鉤部材３３と本体枠用鉤部材３２を配置している。具体的には、前面枠用鉤部材３３の支承部７５ａが最上部に位置し、その下に本体枠用鉤部材３２の支承部７６ａが位置し、その下に前面枠用鉤部材３３の支承部７５ｂが位置し、最下部に本体枠用鉤部材３２の支承部７６ｂとなるように前面枠用鉤部材３３と本体枠用鉤部材３２を配置している。さらに、前面枠用鉤部材３３の中央部に長孔７７を開設し、この長孔７７にリベット７８の軸を挿通し該軸を支持基板３０ａに固着している。また、同様に本体枠用鉤部材３２にも長孔７９とリベット８０を設け、これらリベット７８及び８０にストッパ手段の役割を果たさせている。
【００３２】
このように構成した施錠装置は、次のように作用する。すなわち、前面枠５を開放する場合、シリンダ錠１９の鍵穴に錠を差し込んで反時計回り方向へと錠を回転させる。これによって、施錠ロッド３１が上動し、施錠ロッド３１に固着されているＥリング３４が前面枠用鉤部材３３の上側の支承部７５ａを押し上げるため、前面枠用鉤部材３３も上方へ移動し、前面枠用鉤部材３３のフック部５６が本体枠３の係止部２４から外れ、前面枠５が本体枠３から開放される。この一連の動作の間、本体枠用鉤部材３２は、リベット８０が長孔７９の下方に位置しているため、このリベット８０により上方への移動が規制される。すなわち、リベット８０が本体枠用鉤部材３２の上方への移動を規制するストッパ手段となり、前面枠用鉤部材３３のみが上方へと移動する。他方、本体枠３を開放する場合、シリンダ錠１９の鍵穴に錠を差し込んで時計回り方向へと錠を回転させる。これによって、施錠ロッド３１が下動し、施錠ロッド３１に固着されているＥリング３４が本体枠用鉤部材３２の上側の支承部７６ａを下方へと押下げるため、本体枠用鉤部材３２も下方へ移動し、本体枠用鉤部材３２のフック部５１が外枠１の係止部１４から外れ、本体枠３が外枠１から開放される。この一連の動作の間、前面枠用鉤部材３３は、リベット７８が長孔７７の上方に位置しているため、このリベット７８により下方への移動が規制される。すなわち、リベット７８が前面枠用鉤部材３３の下方への移動を規制し、本体枠用鉤部材３２のみが下方へと移動する。
【００３３】
なお、前記の例では、本体枠用鉤部材３２及び前面枠用鉤部材３３の支承部を上から７５ａ、７６ａ、７５ｂ、７６ｂとなるように配置し、また、押圧部材としてのＥリング３４を上側の支承部７５ａと上側の支承部７６ａの間に位置するようにしているが、これに限られるわけではない。すなわち、本発明の目的を達成するためには、本体枠用鉤部材３２と前面枠用鉤部材３３の支承部が互い違いになるようにすればよく、また、押圧部材としてのＥリング３４をそれぞれの鉤部材の下側の支承部間に位置するようにしてもよい。もっとも、この場合、これらの配置関係によって、フック部の向きとリベットの位置を考慮することが必要になる。
【００３４】
図１２は、請求項４に係る他の実施形態を示すものである。なお、前記した実施の形態と同じ構成要素には同一符号を付して説明する。この実施の形態の施錠装置Ｓは、本体枠用鉤部材３２を上側に配置すると共に、その下側に前面枠用鉤部材３３を配置して、両者を並列するようにしている。また、本体枠用鉤部材３２のフック部８５を下向き鉤状にし、前面枠用鉤部材３３のフック部８６を上向き鉤状にしている。そして、押圧部材としてのＥリング３４を本体枠用鉤部材３２と前面枠用鉤部材３３の中間に位置するように設けている。具体的には、本体枠用鉤部材３２には２つの支承部８８ａ，８８ｂが設けられ、前面枠用鉤部材３３には２つの支承部８９ａ，８９ｂが設けられている。また、本体枠用鉤部材の下側の支承部８８ｂと前面枠用鉤部材３３の上側の支承部８９ａの間に位置するようにＥリング３４が配置されている。さらに、本体枠用鉤部材３２の上側に所定間隔を離して第１のバネ止め部９０が設けられ、前面枠用鉤部材３３の下側に所定間隔を離して第２のバネ止め部９１が設けられている。これらバネ止め部９０，９１はいずれも支持基板３０ａを切り起して形成されている。さらに、本体枠用鉤部材３２の上側の支承部８８ａと第１のバネ止め部９０の間に圧縮バネ９２が装着されており、また、前面枠用鉤部材３３の下側の支承部８９ｂと第２のバネ止め部９１の間に圧縮バネ９３が装着されている。
【００３５】
このように構成した施錠装置Ｓは、次のように作用する。すなわち、前面枠５を開放する場合、シリンダ錠１９の鍵穴に錠を差し込んで時計回り方向へと錠を回転させる。これによって、施錠ロッド３１が下動し、施錠ロッド３１に固着されているＥリング３４が前面枠用鉤部材３３の上側の支承部８９ａを下方へと押下げる。そして、前面枠用鉤部材３３が下方へと移動し、そのフック部８６が前面枠５の係止部２４から外れ、前面枠５が本体枠３から開放される。他方、本体枠３を開放する場合、シリンダ錠１９の鍵穴に錠を差し込んで反時計回り方向へと錠を回転させる。これによって、施錠ロッド３１が上動し、施錠ロッド３１に固着されているＥリング３４が本体枠用鉤部材３２の下側の支承部８８ｂを上方へと押上げる。そして、本体枠用鉤部材３２が上方へと移動し、そのフック部８５が外枠１の係止部１４から外れ、本体枠３が外枠１から開放される。
【００３６】
ちなみに、この実施の形態では、本体枠用鉤状部材及び前面枠用鉤部材のいずれにも支承部が２つずつ設けられている例を示したが、支承部は１つのみ設けてもよく、また、３つ以上設けてもよい。要するに、この実施の形態では、本体枠用鉤部材と前面枠用鉤部材の間に押圧部材を設ければ、本発明の目的を達成することができる。
【００３７】
なお、前記したいずれの実施の形態においても、本体枠用鉤部材のフック部が上向き鉤状になっており、前面枠用鉤部材のフック部が下向き鉤状である例を示したが、これを逆にすること、すなわち、本体枠用鉤部材のフック部が下向き鉤状とし、前面枠用鉤部材のフック部を上向き鉤状にすることも当然可能である。また、前記実施の形態では、押圧部材としてＥリングを用いた例を示したが、これに限られず他の部材で代用することも可能である。さらに、前記実施の形態では、施錠ロッドとして丸棒状のものを示したが、必ずしも丸棒状のものに限られない。
【符号の説明】
【００３８】
Ｐ          パチンコ遊技機
Ｓ          施錠装置
１９        シリンダ錠
３０ａ      支持基板
３１        施錠ロッド
３２        本体枠用鉤部材（第１の鉤部材）
３３        前面枠用鉤部材（第２の鉤部材）
３４        Ｅリング（押圧部材）
３５        圧縮バネ
３６        受止部材
４１ｂ      軸受部（ストッパ手段）
４１ｃ      軸受部（ストッパ手段）
４６        錠軸
４７        係合片
５０ａ      支承部
５０ｂ      支承部
５１        フック部
５２        リベット
５６        フック部
５５ａ      支承部
５５ｂ      支承部
【要約】
【課題】  施錠装置の鉤部材の位置がパチンコ遊技機によって異なったとしても、それに対応することが可能な汎用性があり、且つコストダウン可能な施錠装置を提供する。
【解決手段】  縦長の支持基板の上下方向に沿って上下動自在に軸支された棒状の施錠ロッド３１を設け、施錠ロッドに第１の鉤部材３２と第２の鉤部材３３を摺動自在に装着する。また、施錠ロッドであって第１の鉤部材と第２の鉤部材の支承部間に押圧部材３４を固着する。さらに、施錠ロッドに第１の鉤部材を上向き若しくは下向きに付勢すると共に第２の鉤部材を該第１の鉤部材と反対方向に付勢する圧縮バネ３５を装着する。また、施錠ロッドにシリンダ錠の錠軸に固定された係合片と係合する受止部材３６を設ける。そして、シリンダ錠を開錠操作すると受止部材が施錠ロッドを上下動させ、該シリンダ錠の開錠操作の方向によって押圧部材が第１の鉤部材又は第２の鉤部材を上下いずれかに移動させることを特徴としている。
【選択図】図４【図１】
0005864702.tif 000002
【図２】
0005864702.tif 000003
【図３】
0005864702.tif 000004
【図４】
0005864702.tif 000005
【図５】
0005864702.tif 000006
【図６】
0005864702.tif 000007
【図７】
0005864702.tif 000008
【図８】
0005864702.tif 000009
【図９】
0005864702.tif 000010
【図１０】
0005864702.tif 000011
【図１１】
0005864702.tif 000012
【図１２】
0005864702.tif 000013